(57)【特許請求の範囲】
【請求項１】
複数の第１の記入欄を有し、前記複数の第１の記入欄の間に分離線を設け分割可能としたシート状基材、前記シート状基材の前記第１の記入欄とは反対の面に設けられた接着層、及び、前記接着層に剥離可能に設けられた剥離基材を有する伝票シートと、
前記伝票シートの周縁部の少なくとも一端と分離可能に綴じられ、第２の記入欄を有し、前記第２の記入欄に記入した内容の一部又は全てが複写可能な複数枚の感圧複写基材を分離可能に綴じた伝票綴りとを備え、
前記伝票綴りから前記伝票シートを切り離し、前記伝票シートの第１の記入欄に必要事項を印字し、前記伝票シートの前記剥離基材を剥がし、前記伝票綴りの感圧複写基材に前記伝票シートを貼り付けた第１の伝票形態、又は、前記伝票綴りから前記伝票シートを切り離し、前記伝票綴りの最上枚目の前記感圧複写基材の第２の記入欄に必要事項を記入し、前記伝票綴りの２枚目から最下枚目の前記感圧複写基材に記入事項の一部又は全てが複写された第２の伝票形態をとること、
を特徴とする配送伝票。
【請求項２】
請求項１に記載の配送伝票と、
前記配送伝票の最下枚目の前記感圧複写基材の３周辺が接着され、１辺が開口部となるポケット部を構成する封筒とを備えること、
を特徴とする配送伝票付き封筒。
【請求項３】
請求項２に記載の配送伝票付き封筒において、
前記感圧複写基材を、前記伝票綴りから切り離し、折り畳んだ状態で前記ポケット部に収納すること、
を特徴とする配送伝票付き封筒。
【発明の詳細な説明】
【技術分野】
【０００１】
本発明は、荷物の宅配などに好適に使用される配送伝票及び配送伝票付き封筒に関するものである。
【背景技術】
【０００２】
従来、封書などの配送品は、手軽で安価に送れることが利点であるが、受領印を受け取るシステムではないので、配送品が確実に荷受人に届けられたか否かを確認できないことや、配送できる許容形状が小さいことなどの欠点がある。
一方、宅配便などの配送品は、配送できる許容形状が大きく、配送人によって対面で荷受人へ手渡されるという利点があるが、大量発送時の伝票作成の手間や、配送品の梱包の手間が大きいなどの欠点がある。
そこで、昨今、規定の寸法及び重量範囲内（定形）であれば、一定の金額（定額）で日本全国へ配送でき、また、荷物の配送状況や手渡しの確認を行なえるサービスを持った定形定額式の配送伝票と封筒が一体となった配送業務の必要性が高まっている。
【０００３】
従来、上述したような対面で荷受人へ荷物を手渡す配送業務には、カーボン紙などの感圧複写紙を複数枚重ねた伝票を使用している（例えば、特許文献１）。
特許文献１に記載の配送伝票は、上から順に、お客様控、運賃清算書、発店控、発店経理票、配達完了票、荷札、客用控え票の７枚の複写紙で構成されている。
上述の配送伝票などの宛名は、荷物の配送量が１，２個程度の場合、手書きにより記入されることが多いが、配送量が１０個以上となった場合、手書きでは作業時間の浪費となるので、プリンタなどの印刷機によって印字することが多い。
【０００４】
昨今、コンピュータ及びプリンタが世間一般へ普及してきた影響で、荷物１個の配送でも、配送伝票の宛名を印字で記入する要望が多くなっている。例えば、伝票の記入が悪筆な場合、荷受人に対して悪い印象を与える可能性もあるので、プリンタによる印字が望まれることがある。しかし、上述したような配送伝票は、複数枚綴りの感圧複写紙であるので、伝票専用の特殊なプリンタを準備する必要があった。そのため、レーザ方式やインクジェット方式などの汎用プリンタで印刷できる配送伝票の必要性が高くなっている。
【０００５】
これに対して、少量向けの手書き用と複数件向けの印字用とで配送伝票をそれぞれ専用の物に分けることが考えられたが、配送伝票が２種類に増えることによって、配送伝票の製造の量産効果が低下し伝票一通当たりのコストが高くなることや、配送伝票の在庫管理の手間及び配送人（ドライバなど）の負担が大きくなることなどの弊害が生じてしまう。また、前述したような２種類の配送伝票と封筒が一体となった場合、必ず一方の伝票が廃棄されることになってしまい、省資源の観点から望ましくない。さらにこのとき、廃棄されるべき伝票を廃棄せずに、他の荷物を配送するときに使用すると、制度を悪用されることとなり、本来もっと高い運賃となるべき場所や荷物のサイズを、安価に送ることができてしまうという問題を発生させることになる。このような荷物と配送伝票との不一致は、配送会社がその差額を負担するか、配送人が顧客に対して指摘、訂正してもらうような手間が生じる可能性がある。
伝票と封筒が一体化された場合、伝票と封筒を別に用意しておくよりもこの点においてのメリットが大きい。
【特許文献１】特開平０７−３１４９４３号公報
【発明の開示】
【発明が解決しようとする課題】
【０００６】
本発明の課題は、宛先や宛名などの必要事項を、印字又は手書きすることができ、印字においては汎用のプリンタが使用できる配送伝票及び配送伝票付き封筒を提供することである。
【課題を解決するための手段】
【０００７】
本発明は、以下のような解決手段により、前記課題を解決する。なお、理解を容易にするために、本発明の実施形態に対応する符号を括弧内に付して説明するが、これに限定されるものではない。
請求項１の発明は、複数の第１の記入欄（４３）を有し、前記複数の第１の記入欄（４３）の間に分離線（４２）を設け分割可能としたシート状基材（４１）、前記シート状基材（４１）の前記第１の記入欄（４３）とは反対の面に設けられた接着層（４５）、及び、前記接着層（４５）に剥離可能に設けられた剥離基材（４６）を有する伝票シート（４０）と、前記伝票シート（４０）の周縁部の少なくとも一端と分離可能に綴じられ、第２の記入欄（５５）を有し、前記第２の記入欄（５５）に記入した内容の一部又は全てが複写可能な複数枚の感圧複写基材（５１）を分離可能に綴じた伝票綴り（５０）とを備え、前記伝票綴り（５０）から前記伝票シート（４０）を切り離し、前記伝票シート（４０）の第１の記入欄（４３）に必要事項を印字し、前記伝票シート（４０）の前記剥離基材（４６）を剥がし、前記伝票綴り（５０）の感圧複写基材（５４）に前記伝票シート（４０）を貼り付けた第１の伝票形態、又は、前記伝票綴り（５０）から前記伝票シート（４０）を切り離し、前記伝票綴り（５０）の最上枚目の前記感圧複写基材（５１）の第２の記入欄（５５）に必要事項を記入し、前記伝票綴り（５０）の２枚目から最下枚目の前記感圧複写基材（５４）に記入事項の一部又は全てが複写された第２の伝票形態をとることを特徴とする配送伝票（３０）である。
【０００８】
請求項２の発明は、請求項１に記載の配送伝票（３０）と、前記配送伝票（３０）の最下枚目の前記感圧複写基材（５４）の３周辺が接着され、１辺が開口部となるポケット部（２１）を構成する封筒（２０）とを備えることを特徴とする配送伝票付き封筒（１０）である。
【０００９】
請求項３の発明は、請求項２に記載の配送伝票付き封筒（１０）において、前記感圧複写基材（５３）を、前記伝票綴り（５０）から切り離し、折り畳んだ状態で前記ポケット部（２１）に収納すること、を特徴とする配送伝票付き封筒（１０）である。
【発明の効果】
【００１０】
以上説明したように、本発明によれば、以下のような効果がある。
（１）伝票シート及び伝票綴りを配送伝票に備えているので、宛先や宛名などの必要事項を同一の配送伝票で印字又は手書きすることができる効果がある。
（２）配送伝票と封筒が一体であるので、荷物の梱包が容易にできる効果がある。
（３）配送伝票と封筒の間にポケット部を設けているので、配達時に必要な感圧複写基材をポケット部へ予め収納することで、感圧複写基材の伝票綴りからの脱落による紛失を回避できる効果がある。
【発明を実施するための最良の形態】
【００１１】
本発明は、宛先や宛名などの必要事項を、印字又は手書きすることができ、印字においては汎用のプリンタが使用できる配送伝票及び配送伝票付き封筒を提供するという目的を、シート状基材、接着層、及び、隠蔽基材からなる伝票シートと、複数枚の感圧複写基材からなる伝票綴りとで構成される配送伝票の宛先や宛名などの必要事項を、伝票シートに印字し、伝票シートを伝票綴りに貼り付けた形態、又は、伝票綴りに手書きする形態をとることよって実現する。
【実施例１】
【００１２】
以下、図面等を参照して、本発明の実施例をあげて、さらに詳しく説明する。
図１は、本発明による実施例１の配送伝票の詳細を示す図であり、図２は、本発明による実施例１の配送伝票付き封筒を示す図である。各図の平面図において、紙面より手前側を表面とし、反対側を裏面とする。
配送伝票付き封筒１０は、図２に示すように、封筒２０と、配送伝票３０とを備えている。
封筒２０は、コの字状の接着層２２によって配送伝票３０の裏面と接着されており、配送伝票３０との間に伝票収納用のポケット部２１を備えている。
配送伝票３０は、図１に示すように、伝票シート４０と伝票綴り５０とを周縁部の一端で接着剤３１により綴じられている。
【００１３】
伝票シート４０は、シート状基材４１、接着層４５及び剥離紙４６の順に積層されたタック紙であり、伝票綴り５０と容易に分離できるようミシン目４７が設けられている。
シート状基材４１は、分離線４２をはさんで配達票シート４３と貼付票シート４４とが連接するように構成している。
分離線４２は、シート状基材４１の表面から剥離紙４６を貫通しないように設けられたハーフカット（切り込み線）である。
配達票シート４３は、表面に第１の記入欄４３ａを備えている。
貼付票シート４４は、表面に第１の記入欄４４ａを備えている。
第１の記入欄４３ａ，４４ａは、配送に必要な、依頼主情報、届け先情報、品名などをプリンタにより印字する欄である。
【００１４】
伝票綴り５０は、お客様控え５１、売上票５２、配達票５３、貼付票５４の順に積層し、剥離可能に綴じたものである。
お客様控え５１は、裏面に複写用の混合反応液を含んだ粒子状カプセルが一面に設けられている複写層を備えるノーカーボントップ紙であり、表面に第２の記入欄５５を備える。
売上票５２及び配達票５３は、表及び裏面に前述の複写層を備えるノーカーボンミドル紙であり、表面に第２の記入欄５５を備える。
貼付票５４は、表面に第２の記入欄５５、及び、前述の複写層を備えるノーカーボンボトム紙である。
第２の記入欄５５は、配送に必要な、依頼主情報、届け先情報、品名などを手書きにより記入する欄である。
【００１５】
次に、実施例１についての使用方法を説明する。
図３は、荷物の配送依頼の配送伝票の記入を、印字により行なう伝票形態（第１の伝票形態）及びその使用方法を示す図である。
まず、配送依頼人は、図３（Ａ）のように、配送伝票３０から伝票シート４０を剥がし、レーザ方式やインクジェット方式のような汎用プリンタの給紙トレイに設置する。プリンタを接続したコンピュータに配送先などの必要事項を入力し、図３（Ｂ）のように、伝票シート４０の第１の記入欄４３ａ，４４ａに入力した内容を印字させる。次に、図３（Ｃ）のように、印字された伝票シート４０の剥離紙４６を剥がし、シート状基材４１を配達票シート４３及び貼付票シート４４の２枚に分離線４２で分割する。
【００１６】
続いて、伝票綴り５０から、お客様控え５１及び売上票５２を剥がし、図３（Ｄ）のように、配達票シート４３を配達票５３に、貼付票シート４４を貼付票５４にそれぞれ貼り付け（第１の伝票形態）、最後に、荷物を配送伝票付き封筒１０に封入して配送会社へ渡す。
このとき、配送依頼人は、伝票シート４０に印字した内容をコンピュータのデータとして保管し、お客様控え５１の代わりとする。また、売上票５２の代わりとして上述のデータを、配送会社に電送するか、又は、荷物を封入した配送伝票付き封筒１０とともに渡す。
配送会社は、上述の複写データにより売上伝票の処理を行い、荷物の入った配送伝票付き封筒１０を配送人（ドライバなど）に渡す。
【００１７】
配送人は、図３（Ｅ）の状態になった伝票綴り５０を見て、荷受人宅まで荷物を運ぶ。このとき、配送中に伝票綴り５０から配達票５３が脱落し、紛失しないために、図３（Ｆ）のように、配達票５３を予め剥がし、折り畳んで、封筒２０に設けられたポケット部２１に収納する。
荷物の入った配送伝票付き封筒１０を荷受人と対面で手渡す際、ポケット部２１から配達票５３を取り出し、荷受人から配達票５３に受領印を貰い、運送会社へ持ち帰る。
荷受人は、受け取った配送伝票付き封筒１０に残った貼付票５４を見て、差出人及び荷物の内容を確認し、封筒２０を開封する。
【００１８】
図４は、荷物の配送依頼の配送伝票の記入を、手書きにより行なう伝票形態（第２の伝票形態）及びその使用方法を示す図である。
まず、配送依頼人は、図４（Ａ）に示すように、配送伝票付き封筒１０の配送伝票３０から、伝票シート４０を剥がす。それから、図４（Ｂ）に示すように、伝票綴り５０の最上枚目のお客様控え５１の第２の記入欄５５に配送先などの必要事項を手書きで記入する。このとき、伝票綴り５０の売上票５２、配達票５３及び貼付票５４の第２の記入欄５５にも、記入内容が複写される（第２の伝票形態）。
続いて、図４（Ｃ）に示すように、配送依頼の控えとしてお客様控え５１を伝票綴り５０から剥がして保管し、封筒２０に荷物を入れて配送会社へ渡す。配送依頼人が荷物の配送状況を確認したいときは、お客様控え５１に記載の情報を配送会社へ伝えることで、確認することができる。
【００１９】
配送会社は、図４（Ｄ）のように、伝票綴り５０から売上票５２を剥がし、配送人（ドライバなど）に荷物の入った配送伝票付き封筒１０を渡す。
配送人は、図４（Ｅ）の状態になった伝票綴り５０を見て、荷受人宅まで荷物を運ぶ。このとき、配送中に伝票綴り５０から配達票５３が脱落し、紛失しないように、図４（Ｆ）のように、配達票５３を予め剥がし、折り畳んで、封筒２０に設けられたポケット部２１に収納する。
荷物の入った配送伝票付き封筒１０を荷受人と対面で手渡す際、ポケット部２１から配達票５３を取り出し、荷受人から配達票５３に受領印を貰い、運送会社へ持ち帰る。
荷受人は、受け取った配送伝票付き封筒１０に残った貼付票５４を見て、差出人及び荷物の内容を確認し、封筒２０を開封する。
【００２０】
以上より、実施例１の配送伝票付き封筒には以下のような効果がある。
（１）配送伝票３０は、第１の記入欄４３ａ，４４ａを設けた伝票シート４０と、第２の記入欄５５を設けた伝票綴り５０とを備えているので、依頼主情報、届け先情報、品名などの必要事項を、同一の配送伝票３０によって印字又は手書きすることができる効果があり、また、印字に関しては汎用プリンタで容易に印字できる効果がある。
（２）配送伝票３０と封筒２０が一体であるので、荷物の梱包が容易にできる効果がある。
（３）配送伝票３０と封筒２０の間にポケット部２１を設けているので、配達時に予め配達票５３をポケット部２１へ収納することで、配達票５３の伝票綴り５０からの脱落による紛失を回避できる効果がある。
【００２１】
（変形例）
以上説明した実施例に限定されることなく、種々の変形や変更が可能であって、それらも本発明の均等の範囲内である。
（１）実施例１の伝票シート４０は、分離線４２で配達票シート４３及び貼付票シート４４に分割され、配達票５３及び貼付票５４に貼り付けられたが、２つ以上の記入欄及び分離線による分割構成をとり、伝票綴りの配達票５３及び貼付票５４以外の伝票にも貼り付けてもよい。
例えば、図５（Ａ）に示すように、４分割構成をとり、図５（Ｂ）に示すように、伝票綴りの各伝票（５１〜５４）に各伝票シート（４１１〜４１４）を貼り付けることも可能である。
【００２２】
（２）実施例１では、ポケット部２１の開口部は封筒２０の右側に存在しているが、それ以外の方向（上、下、左など）に存在してもよい。
（３）実施例１では、伝票綴り５０は４枚の伝票（５１〜５４）で構成しているが、それ以外の枚数で構成してもよい。
（４）実施例１では、伝票シート４０及び伝票綴り５０には依頼主情報、届け先情報、品名の記入欄が設けられていたが、それ以外の情報欄を設けてもよい。例えば、配送会社専用の記入欄や機械読み取り情報欄（バーコードなど）を設けることも可能である。
（５）実施例１では、伝票シート４０、伝票綴り５０の順で配送伝票３０が構成されていたが、伝票綴り５０、伝票シート４０の順で構成してもよい。
【図面の簡単な説明】
【００２３】
【図１】本発明による実施例１の配送伝票の詳細を示す図である。
【図２】本発明による実施例１の配送伝票付き封筒を示す図である。
【図３】本発明による実施例１の第１の伝票形態及びその使用方法を示す図である。
【図４】本発明による実施例１の第２の伝票形態及びその使用方法を示す図である。
【図５】本発明による実施例１の配送伝票の変形例を示す図である。
【符号の説明】
【００２４】
１０  配送伝票付き封筒
２０  封筒
２１  ポケット部
３０  配送伝票
４０  伝票シート
４１  シート状基材
４２  分離線
４３  配達票シート
４３ａ  第１の記入欄
４４  貼付票シート
４４ａ  第１の記入欄
４５  接着層
４６  剥離紙
５０  伝票綴り
５１  お客様控え
５２  売上票
５３  配達票
５４  貼付票
５５  第２の記入欄
【図１】
0004742874.tif 000002
【図２】
0004742874.tif 000003
【図３】
0004742874.tif 000004
【図４】
0004742874.tif 000005
【図５】
0004742874.tif 000006